(57)【要約】【課題】  小型化を確保した上で部品の強度の向上を図りカム溝からのカムピンの脱落を防止する。【解決手段】  光学系２７を支持するレンズ鏡筒を構成し、カム溝２０、２０、２０が形成されたカム環１６と、カム環に対して光学系の光軸方向へ移動可能とされ、カム溝に摺動自在に係合されるカムピン２５、２５、２５が設けられた移動環１７と、光軸方向へ延びカムピンが摺動自在に係合されるガイド部１８ａ、１８ａ、１８ａと、光軸の軸回り方向へ延びる規制部１８ｂ、１８ｂ、・・・とを有する直進ガイド１５とを設け、カム環は、直進ガイドに対して光軸の軸回り方向へ回転可能とされ、直進ガイドに対して光軸方向へ移動不能とされ、規制部に係合されると共にカム溝の開口縁に設けられた突起部２３、２３、・・・を有する。【選択図】        図８
2012118337.tif 000002
【特許請求の範囲】
【請求項１】
光学系を支持するレンズ鏡筒を構成する鏡筒装置において、
カム溝が形成されたカム環と、
前記カム環に対して前記光学系の光軸方向へ移動可能とされ、前記カム溝に摺動自在に係合されるカムピンが設けられた移動環と、
前記光軸方向へ延び前記カムピンが摺動自在に係合されるガイド部と、前記光軸の軸回り方向へ延びる規制部とを有する直進ガイドとを備え、
前記カム環は、前記直進ガイドに対して前記光軸の軸回り方向へ回転可能とされ、前記直進ガイドに対して前記光軸方向へ移動不能とされ、前記規制部に係合されると共に前記カム溝の開口縁に設けられた突起部を有する
鏡筒装置。
【請求項２】
前記カム溝が前記光軸の軸回り方向へ延びる直線部と前記光軸に対して傾斜され前記直線部に連続する傾斜部とを有し、
前記突起部が前記直線部の開口縁に設けられた
請求項１に記載の鏡筒装置。
【請求項３】
前記カム溝の直線部として前記光学系を広角端に保持する広角側直線部と前記光学系を望遠端に保持する望遠側直線部とを形成し、
前記突起部が前記広角側直線部の開口縁に設けられた
請求項２に記載の鏡筒装置。
【請求項４】
前記カム溝の直線部として前記光学系を広角端に保持する広角側直線部と前記光学系を望遠端に保持する望遠側直線部とを形成し、
前記突起部が前記望遠側直線部の開口縁に設けられた
請求項２に記載の鏡筒装置。
【請求項５】
前記移動環が前記カム環から光が入射する側へ突出可能とされ、
前記突起部が前記カム溝のうち前記光が入射する側における端部の開口縁に設けられた
請求項１に記載の鏡筒装置。
【請求項６】
前記突起部が前記カム溝の幅方向における両側の開口縁に設けられた
請求項１に記載の鏡筒装置。
【請求項７】
前記突起部の外面の一部が前記カム溝の幅方向における面に連続して形成された
請求項１に記載の鏡筒装置。
【請求項８】
前記カム溝の幅方向における両面が前記カム溝の底面から開口縁に近付くに従って互いに離隔する傾斜面として形成され、
前記突起部の外面の一部が前記傾斜面と同じ角度で傾斜し連続して形成された
請求項７に記載の鏡筒装置。
【請求項９】
前記カム溝の幅方向における面と前記突起部との間に両者を連結する連結面が形成された
請求項１に記載の鏡筒装置。
【請求項１０】
内部に光学系が配置されたレンズ鏡筒を構成する鏡筒装置と前記光学系を介して取り込まれた光学像を電気的信号に変換する撮像素子とを備えた撮像装置において、
前記鏡筒装置は、
カム溝が形成されたカム環と、
前記カム環に対して前記光学系の光軸方向へ移動可能とされ、前記カム溝に摺動自在に係合されるカムピンが設けられた移動環と、
前記光軸方向へ延び前記カムピンが摺動自在に係合されるガイド部と、前記光軸の軸回り方向へ延びる規制部とを有する直進ガイドとを備え、
前記カム環は、前記直進ガイドに対して前記光軸の軸回り方向へ回転可能とされ、前記直進ガイドに対して前記光軸方向へ移動不能とされ、前記規制部に係合されると共に前記カム溝の開口縁に設けられた突起部を有する
撮像装置。
【発明の詳細な説明】
【技術分野】
【０００１】
本発明は鏡筒装置及び撮像装置についての技術分野に関する。詳しくは、直進ガイドに形成された規制部に摺動自在に係合される突起部をカム溝の開口縁に設けて小型化を確保した上で部品の強度の向上を図る技術分野に関する。
【背景技術】
【０００２】
ビデオカメラやスチルカメラ等の各種の撮像装置には内部にレンズ等が配置された鏡筒装置が伸縮自在に構成され、鏡筒装置が非撮影時に装置本体に収納され撮影時に装置本体から繰り出されてズーム倍率の変更等を行うことが可能な所謂沈胴タイプがある（例えば、特許文献１参照）。
【０００３】
このような伸縮自在の鏡筒装置を備えることにより、非撮影時における小型化（薄型化）と撮影時における良好な光学性能の確保との両立を図ることが可能となる。
【０００４】
特許文献１に記載された撮像装置にあっては、レンズ等の光学系を保持する移動環と移動環を光軸方向へ移動可能に支持する直進ガイドと直進ガイドに光軸の軸回り方向へ回転自在かつ光軸方向へ移動不能に支持されたカム環とを備えている。
【０００５】
カム環は突起部が周方向（光軸の軸回り方向）に延びる規制部に係合されることにより直進ガイドに光軸の軸回り方向へ回転自在かつ光軸方向へ移動不能に支持されている。
【０００６】
移動環はカムピンがカム環に形成されたカム溝に摺動自在に係合されると共に直進ガイドによって軸回り方向への回転が規制されている。
【０００７】
【特許文献１】特開２００８−１７０７９６号公報
【発明の開示】
【発明が解決しようとする課題】
【０００８】
ところで、上記のような撮像装置にあっては、カムピンがカム溝に摺動自在に係合されて移動環がカム環の回転に伴って移動される構成とされており、良好な動作性能を確保するために、衝撃等が生じたときにおいても、カムピンのカム溝からの脱落を防止する必要がある。近年、携帯型の撮像装置が普及しており、落下衝撃が生じ易い状況にあるため、特に、カムピンのカム溝からの脱落の防止を図る必要性が高い。
【０００９】
このようなカムピンのカム溝からの脱落の防止を図るために、カム溝が形成されたカム環の厚みを厚くしてカム溝の深さを深くすることにより、カム溝に対するカムピンの係合量を大きくする方法がある。
【００１０】
ところが、近年、良好な携帯性を確保するために小型化の要望が高く、このような小型化は光軸方向のみならず鏡筒装置の径方向においても要望されているが、上記したカム環の厚みを厚くする方法を用いた場合には、鏡筒装置の径方向における小型化を図ることができなくなってしまう。
【００１１】
逆に、カム環の厚みを薄くすると、カムピンのカム溝からの脱落を防止することができなくなると共に部品の強度が低下して耐衝撃性も低いものとなってしまう。
【００１２】
そこで、本発明鏡筒装置及び撮像装置は、上記した問題点を克服し、小型化を確保した上で部品の強度の向上を図りカム溝からのカムピンの脱落を防止することを課題とする。
【課題を解決するための手段】
【００１３】
鏡筒装置は、上記した課題を解決するために、光学系を支持するレンズ鏡筒を構成し、カム溝が形成されたカム環と、前記カム環に対して前記光学系の光軸方向へ移動可能とされ、前記カム溝に摺動自在に係合されるカムピンが設けられた移動環と、前記光軸方向へ延び前記カムピンが摺動自在に係合されるガイド部と、前記光軸の軸回り方向へ延びる規制部とを有する直進ガイドとを備え、前記カム環は、前記直進ガイドに対して前記光軸の軸回り方向へ回転可能とされ、前記直進ガイドに対して前記光軸方向へ移動不能とされ、前記規制部に係合されると共に前記カム溝の開口縁に設けられた突起部を有するものである。
【００１４】
従って、鏡筒装置にあっては、突起部がカムピンと係合可能とされる。
【００１５】
上記した鏡筒装置においては、前記カム溝が前記光軸の軸回り方向へ延びる直線部と前記光軸に対して傾斜され前記直線部に連続する傾斜部とを有し、前記突起部が前記直線部の開口縁に設けられることが望ましい。
【００１６】
カム溝が光軸の軸回り方向へ延びる直線部と光軸に対して傾斜され直線部に連続する傾斜部とを有し、突起部が直線部の開口縁に設けられることにより、直進ガイドの規制部の溝幅が最小限の幅とされる。
【００１７】
上記した鏡筒装置においては、前記カム溝の直線部として前記光学系を広角端に保持する広角側直線部と前記光学系を望遠端に保持する望遠側直線部とを形成し、前記突起部が前記広角側直線部の開口縁に設けられることが望ましい。
【００１８】
カム溝の直線部として光学系を広角端に保持する広角側直線部と光学系を望遠端に保持する望遠側直線部とを形成し、突起部が広角側直線部の開口縁に設けられることにより、カムピンが広角側直線部に係合されたときに、カムピンのカム環に対する係合量が大きくなる。
【００１９】
上記した鏡筒装置においては、前記カム溝の直線部として前記光学系を広角端に保持する広角側直線部と前記光学系を望遠端に保持する望遠側直線部とを形成し、前記突起部が前記望遠側直線部の開口縁に設けられることが望ましい。
【００２０】
カム溝の直線部として光学系を広角端に保持する広角側直線部と光学系を望遠端に保持する望遠側直線部とを形成し、突起部が望遠側直線部の開口縁に設けられることがにより、カムピンが望遠側直線部に係合されたときに、カムピンのカム環に対する係合量が大きくなる。
【００２１】
上記した鏡筒装置においては、前記移動環が前記カム環から光が入射する側へ突出可能とされ、前記突起部が前記カム溝のうち前記光が入射する側における端部の開口縁に設けられることが望ましい。
【００２２】
移動環がカム環から光が入射する側へ突出可能とされ、突起部がカム溝のうち光が入射する側における端部の開口縁に設けられることにより、移動環がカム環から光が入射される側へ突出されたときに、カムピンのカム環に対する係合量が大きくなる。
【００２３】
上記した鏡筒装置においては、前記突起部が前記カム溝の幅方向における両側の開口縁に設けられることが望ましい。
【００２４】
突起部がカム溝の幅方向における両側の開口縁に設けられることにより、カムピンのカム環に対する係合量が大きくなる。
【００２５】
上記した鏡筒装置においては、前記突起部の外面の一部が前記カム溝の幅方向における面に連続して形成されることが望ましい。
【００２６】
突起部の外面の一部がカム溝の幅方向における面に連続して形成されることにより、カムピンと突起部の距離が小さくなる。
【００２７】
上記した鏡筒装置においては、前記カム溝の幅方向における両面が前記カム溝の底面から開口縁に近付くに従って互いに離隔する傾斜面として形成され、前記突起部の外面の一部が前記傾斜面と同じ角度で傾斜し連続して形成されることが望ましい。
【００２８】
カム溝の幅方向における両面がカム溝の底面から開口縁に近付くに従って互いに離隔する傾斜面として形成され、突起部の外面の一部が傾斜面と同じ角度で傾斜し連続して形成されることにより、カム環の成形時に金型の離型が円滑に行われる。
【００２９】
上記した鏡筒装置においては、前記カム溝の幅方向における面と前記突起部との間に両者を連結する連結面が形成されることが望ましい。
【００３０】
カム溝の幅方向における面と突起部との間に両者を連結する連結面が形成されることにより、カムピンの形状等に応じてカム溝に対する突起部の位置を選択することが可能となる。
【００３１】
撮像装置は、上記した課題を解決するために、内部に光学系が配置されたレンズ鏡筒を構成する鏡筒装置と前記光学系を介して取り込まれた光学像を電気的信号に変換する撮像素子とを備え、前記鏡筒装置は、カム溝が形成されたカム環と、前記カム環に対して前記光学系の光軸方向へ移動可能とされ、前記カム溝に摺動自在に係合されるカムピンが設けられた移動環と、前記光軸方向へ延び前記カムピンが摺動自在に係合されるガイド部と、前記光軸の軸回り方向へ延びる規制部とを有する直進ガイドとを備え、前記カム環は、前記直進ガイドに対して前記光軸の軸回り方向へ回転可能とされ、前記直進ガイドに対して前記光軸方向へ移動不能とされ、前記規制部に係合されると共に前記カム溝の開口縁に設けられた突起部を有するものである。
【００３２】
従って、撮像装置にあっては、突起部がカムピンと係合可能とされる。
【発明の効果】
【００３３】
本発明鏡筒装置は、光学系を支持するレンズ鏡筒を構成し、カム溝が形成されたカム環と、前記カム環に対して前記光学系の光軸方向へ移動可能とされ、前記カム溝に摺動自在に係合されるカムピンが設けられた移動環と、前記光軸方向へ延び前記カムピンが摺動自在に係合されるガイド部と、前記光軸の軸回り方向へ延びる規制部とを有する直進ガイドとを備え、前記カム環は、前記直進ガイドに対して前記光軸の軸回り方向へ回転可能とされ、前記直進ガイドに対して前記光軸方向へ移動不能とされ、前記規制部に係合されると共に前記カム溝の開口縁に設けられた突起部を有している。
【００３４】
従って、突起部によってカムピンのカム環に対する係合量が大きくされ、落下等による衝撃等が生じたときにおいても、カムピンのカム溝からの脱落を防止することができる。
【００３５】
また、突起部はカム環を直進ガイドに対して光軸方向へ移動不能かつ光軸の軸回り方向へ回転可能とするために必要とされる部分であり、カム環のカム溝における開口縁に突起部を設けることによりカム環が大型になることはなく、また、カム環の厚みを厚くしてカム溝の深さを深くすることによりカム溝に対するカムピンの係合量を大きくする必要もない。
【００３６】
従って、小型化を確保した上で部品の強度の向上を図りカム溝からのカムピンの脱落を防止することができる。
【００３７】
請求項２に記載した発明にあっては、前記カム溝が前記光軸の軸回り方向へ延びる直線部と前記光軸に対して傾斜され前記直線部に連続する傾斜部とを有し、前記突起部が前記直線部の開口縁に設けられている。
【００３８】
従って、直進ガイドの規制部の溝幅を最小限にすることが可能であり、直進ガイドの高い強度を確保することができる。
【００３９】
請求項３に記載した発明にあっては、前記カム溝の直線部として前記光学系を広角端に保持する広角側直線部と前記光学系を望遠端に保持する望遠側直線部とを形成し、前記突起部が前記広角側直線部の開口縁に設けられている。
【００４０】
従って、光学系が広角端に保持されることが多いため、突起部を広角側直線部の開口縁に設けることにより、カムピンのカム溝からの脱落を高い確率で防止することができる。
【００４１】
請求項４に記載した発明にあっては、前記カム溝の直線部として前記光学系を広角端に保持する広角側直線部と前記光学系を望遠端に保持する望遠側直線部とを形成し、前記突起部が前記望遠側直線部の開口縁に設けられている。
【００４２】
従って、光学系が望遠端に保持されることが多いため、突起部を望遠側直線部の開口縁に設けることにより、カムピンのカム溝からの脱落を高い確率で防止することができる。
【００４３】
請求項５に記載した発明にあっては、前記移動環が前記カム環から光が入射する側へ突出可能とされ、前記突起部が前記カム溝のうち前記光が入射する側における端部の開口縁に設けられている。
【００４４】
従って、移動環がカム環から光が入射する側へ突出された状態において、カム溝に対するカムピンの係合量が大きく、カムピンのカム溝からの脱落を回避することができる。
【００４５】
請求項６に記載した発明にあっては、前記突起部が前記カム溝の幅方向における両側の開口縁に設けられている。
【００４６】
従って、カムピンのカム溝からの脱落を一層確実に防止することができる。
【００４７】
請求項７に記載した発明にあっては、前記突起部の外面の一部が前記カム溝の幅方向における面に連続して形成されている。
【００４８】
従って、カムピンと突起部の距離が小さく、カムピンのカム溝からの脱落を効果的に防止することができる。
【００４９】
請求項８に記載した発明にあっては、前記カム溝の幅方向における両面が前記カム溝の底面から開口縁に近付くに従って互いに離隔する傾斜面として形成され、前記突起部の外面の一部が前記傾斜面と同じ角度で傾斜し連続して形成されている。
【００５０】
従って、カム環の成形時に金型の離型を円滑に行うことが可能であり、カム環の成形性の向上を図ることができる。
【００５１】
請求項９に記載した発明にあっては、前記カム溝の幅方向における面と前記突起部との間に両者を連結する連結面が形成されている。
【００５２】
従って、カムピンの形状等に応じてカム溝に対する突起部の位置を選択することが可能であり、突起部の位置に関して設計の自由度の向上を図ることができる。
【００５３】
本発明撮像装置は、内部に光学系が配置されたレンズ鏡筒を構成する鏡筒装置と前記光学系を介して取り込まれた光学像を電気的信号に変換する撮像素子とを備えた撮像装置において、前記鏡筒装置は、カム溝が形成されたカム環と、前記カム環に対して前記光学系の光軸方向へ移動可能とされ、前記カム溝に摺動自在に係合されるカムピンが設けられた移動環と、前記光軸方向へ延び前記カムピンが摺動自在に係合されるガイド部と、前記光軸の軸回り方向へ延びる規制部とを有する直進ガイドとを備え、前記カム環は、前記直進ガイドに対して前記光軸の軸回り方向へ回転可能とされ、前記直進ガイドに対して前記光軸方向へ移動不能とされ、前記規制部に係合されると共に前記カム溝の開口縁に設けられた突起部を有すしている。
【００５４】
従って、突起部によってカムピンのカム環に対する係合量が大きくされ、落下等による衝撃等が生じたときにおいても、カムピンのカム溝からの脱落を防止することができる。
【００５５】
また、突起部はカム環を直進ガイドに対して光軸方向へ移動不能かつ光軸の軸回り方向へ回転可能とするために必要とされる部分であり、カム環のカム溝における開口縁に突起部を設けることによりカム環が大型になることはなく、また、カム環の厚みを厚くしてカム溝の深さを深くすることによりカム溝に対するカムピンの係合量を大きくする必要もない。
【００５６】
従って、小型化を確保した上で部品の強度の向上を図りカム溝からのカムピンの脱落を防止することができる。
【発明を実施するための最良の形態】
【００５７】
以下に、本発明を実施するための最良の形態を添付図面に従って説明する。
【００５８】
以下に示した最良の形態は、本発明撮像装置をスチルカメラに適用し、本発明鏡筒装置をこのスチルカメラに設けられた鏡筒装置に適用したものである。尚、本発明の適用範囲はスチルカメラ及びスチルカメラに設けられた鏡筒装置に限られることはなく、例えば、ビデオカメラや他の機器に組み込まれる各種の撮像装置及びこれらの撮像装置に設けられる鏡筒装置に広く適用することができる。
【００５９】
以下の説明にあっては、スチルカメラの撮影時において撮影者から見た方向で前後上下左右の方向を示すものとする。従って、被写体側（光が入射する側：物体側）が前方となり、撮影者側（像側）が後方となる。
【００６０】
尚、以下に示す前後上下左右の方向は説明の便宜上のものであり、本発明の実施に関しては、これらの方向に限定されることはない。
【００６１】
［撮像装置の構成］
撮像装置１は、図１及び図２に示すように、装置本体２と装置本体２に前後方向（光軸方向）へ移動自在に支持された鏡筒装置３とを備え、非撮影時等に鏡筒装置３が装置本体２に収納され（図１参照）、撮影時等に鏡筒装置３が装置本体２から前方へ突出される（図２参照）所謂沈胴タイプの撮像装置である。鏡筒装置３は装置本体２に収納される収納位置と装置本体２から前方へ突出される繰出位置との間で伸縮される。
【００６２】
このような沈胴タイプの撮像装置１にあっては、非撮影時における小型化（薄型化）と撮影時における良好な光学性能の確保とを両立させることができる。
【００６３】
装置本体２は、例えば、横長の扁平な筐体４の内外に所要の各部が配置されて成る（図１乃至図３参照）。
【００６４】
装置本体２の前面にはフラッシュ５が設けられている。装置本体２の上面にはシャッター釦６、ズームスイッチ７及び電源釦８が設けられている。装置本体２の後面にはディスプレイ９と各種の操作部１０、１０、・・・が設けられている。
【００６５】
［鏡筒装置の構成］
鏡筒装置３は、その外筐として、図１及び図２に示すように、装置本体２に対して光軸方向へ移動可能とされたリング部材１１と、リング部材１１に対して光軸方向へ移動可能とされたホルダー１２とを有している。ホルダー１２は円環部１２ａと円環部１２ａの前端部から内方へ張り出されたフランジ部１２ｂとを有している。
【００６６】
ホルダー１２の内部における前端部にはバリヤーユニット１３が保持されている。バリヤーユニット１３は支持枠１３ａと支持枠１３ａに開閉可能に支持されたレンズバリヤー１３ｂ、１３ｂとを有している。
【００６７】
鏡筒装置３が収納位置にあるときには、図１に示すように、リング部材１１及びホルダー１２が装置本体２の内部に収納され、レンズバリヤー１３ｂ、１３ｂが閉じられている。
【００６８】
鏡筒装置３が繰出位置にあるときには、図２に示すように、リング部材１１が装置本体２から前方へ突出されホルダー１２がリング部材１１から前方へ突出され、レンズバリヤー１３ｂ、１３ｂが開かれて鏡筒装置３の内部に配置された前玉レンズ１４が露出される。レンズバリヤー１３ｂ、１３ｂが開かれることにより被写体の撮影が可能な状態とされる。
【００６９】
鏡筒装置３は直進ガイド１５とカム環１６と移動環１７を有している（図４乃至図７参照）。
【００７０】
直進ガイド１５は前後方向（光軸方向）へ移動可能とされ、光軸の軸回り方向へは回転不能とされている。直進ガイド１５は、図４に示すように、軸方向が前後方向とされた略円筒状に形成され、筒状部１８と筒状部１８の後端部から外方へ張り出された張出部１９とから成る。
【００７１】
筒状部１８には周方向に等間隔に離隔してガイド孔１８ａ、１８ａ、１８ａが形成され、ガイド孔１８ａ、１８ａ、１８ａは前後に延びるように形成されている。ガイド孔１８ａ、１８ａ、１８ａは移動環１７の後述するカムピンを案内するガイド部として機能する。
【００７２】
筒状部１８の外周面には周方向に延びる規制溝１８ｂ、１８ｂ、・・・が形成されている。規制溝１８ｂ、１８ｂ、・・・はカム環１６の後述する突起部が係合されカム環１６の前後方向への移動を規制する規制部として機能する。規制溝１８ｂ、１８ｂ、・・・は前後に離隔して位置されている。筒状部１８の外周面には前後に延びる挿入溝１８ｃ、１８ｃ、・・・が形成され、挿入溝１８ｃ、１８ｃ、・・・は規制溝１８ｂ、１８ｂ、・・・に連通されている。
【００７３】
張出部１９には周方向に等間隔に離隔して挿入孔１９ａ、１９ａ、１９ａが形成され、挿入孔１９ａ、１９ａ、１９ａは前後に貫通され内方に開口されている。挿入孔１９ａ、１９ａ、１９ａはそれぞれガイド孔１８ａ、１８ａ、１８ａの後端に連通されている。
【００７４】
カム環１６は直進ガイド１５に前後方向へ移動不能かつ光軸の軸回り方向へ回転自在に支持される。
【００７５】
カム環１６の外径は直進ガイド１５の筒状部１８の外径より一回り大きく軸方向が前後方向とされた略円筒状に形成されている。カム環１６の内周面には周方向に等間隔に離隔してカム溝２０、２０、２０が形成されている（図４及び図５参照）。カム溝２０は連続して形成された導入部２１と挿入部２２から成る。
【００７６】
導入部２１は、後端がカム環１６の後端に一致されて後方に開口され光軸方向に対して傾斜して形成され、前端部がカム環１６の前端部に一致されている。
【００７７】
挿入部２２は前方に位置された広角側直線部２２ａと広角側直線部２２ａに連続された第１の傾斜部２２ｂと第１の傾斜部２２ｂの後端部に連続された第２の傾斜部２２ｃと第２の傾斜部２２ｃの前端部に連続された望遠側直線部２２ｄとから成る。
【００７８】
広角側直線部２２ａと望遠側直線部２２ｄはそれぞれ周方向に延びるように形成され、望遠側直線部２２ｄが広角側直線部２２ａより後方に位置されている。第１の傾斜部２２ｂは光軸方向に対して傾斜され、広角側直線部２２ａから遠去かるに従って導入部２１から周方向において離隔するように形成されている。第２の傾斜部２２ｃは光軸方向に対して傾斜され、第１の傾斜部２２ｂの後端部から折り返されるように形成されている。第２の傾斜部２２ｃは第１の傾斜部２２ｂから遠去かるに従って第１の傾斜部２２ｂから周方向において離隔するように形成されている。
【００７９】
広角側直線部２２ａと望遠側直線部２２ｄは移動環１７に保持される後述する光学系をそれぞれ広角端と望遠端に保持する部分である。
【００８０】
尚、上記には、前側に位置する広角側直線部２２ａが光学系を広角端に保持する部分とされ後側に位置する望遠側直線部２２ｄが光学系を望遠端に保持する部分とされた例を示したが、逆に、前側に位置する直線部が光学系を望遠端に保持する部分として形成され後側に位置する直線部が光学系を広角端に保持する部分として形成されていてもよい。
【００８１】
カム環１６の内周面には内方へ突出された突起部２３、２３、・・・が設けられ、突起部２３、２３、・・・はそれぞれ直進ガイド１５の規制溝１８ｂ、１８ｂ、・・・に摺動自在に係合される。突起部２３、２３、・・・は、例えば、それぞれカム溝２０、２０、２０の広角側直線部２２ａ、２２ａ、２２ａの後側開口縁と望遠側直線部２２ｄ、２２ｄ、２２ｄの後側開口縁とに設けられている。
【００８２】
カム環１６は突起部２３、２３、・・・が前方からそれぞれ挿入溝１８ｃ、１８ｃ、・・・に挿入され、次いで、周方向へ回転されて規制溝１８ｂ、１８ｂ、・・・に係合されることにより、直進ガイド１５に前後方向へ移動不能かつ光軸の軸回り方向へ回転自在に支持される（図６及び図７参照）。
【００８３】
移動環１７は軸方向が前後方向とされた円筒部２４と円筒部２４の前端部から内方へ張り出された保持部２６とから成る（図４参照）。
【００８４】
円筒部２４の外径は直進ガイド１５の筒状部１８の外径より一回り小さくされている。円筒部２４の後端部には周方向に等間隔に離隔してそれぞれ外方へ突出されたカムピン２５、２５、２５が設けられている。
【００８５】
保持部２６には、例えば、レンズ、レンズバリヤー、シャッター、アイリス、ＮＤ（neutral density）フィルター等の各種の光学系２７が保持される。
【００８６】
移動環１７は、カム環１６が直進ガイド１５に支持された状態において、カムピン２５、２５、２５がそれぞれ直進ガイド１５の挿入孔１９ａ、１９ａ、１９ａからガイド孔１８ａ、１８ａ、１８ａに挿入されると共にカム環１６のカム溝２０、２０、２０の導入部２１、２１、２１から挿入部２２、２２、２２に挿入されて係合される（図８参照）。従って、移動環１７は、カムピン２５、２５、２５が直進ガイド１５のガイド孔１８ａ、１８ａ、１８ａとカム環１６のカム溝２０、２０、２０における挿入部２２、２２、２２に摺動自在に係合される。
【００８７】
［鏡筒装置の動作］
カム環１６が直進ガイド１５に対して回転されると、回転に応じて移動環１７のカムピン２５、２５、２５の挿入部２２、２２、２２に対する係合位置が変化される。従って、移動環１７と移動環１７に保持された光学系２７とは、カムピン２５、２５、２５がそれぞれ直進ガイド１５のガイド孔１８ａ、１８ａ、１８ａに案内されてカム環１６の回転方向に応じて前後方向（光軸方向）へ移動される。
【００８８】
カムピン２５、２５、２５はそれぞれ挿入部２２、２２、２２の広角側直線部２２ａ、２２ａ、２２ａと望遠側直線部２２ｄ、２２ｄ、２２ｄの間で摺動される。
【００８９】
カムピン２５、２５、２５がカム溝２０、２０、２０の広角側直線部２２ａ、２２ａ、２２ａと望遠側直線部２２ｄ、２２ｄ、２２ｄにおいて摺動されるときには、広角側直線部２２ａ、２２ａ、２２ａと望遠側直線部２２ｄ、２２ｄ、２２ｄが周方向に延びるように形成されているため、移動環１７と光学系２７は前後方向へ移動されない。一方、カムピン２５、２５、２５がカム溝２０、２０、２０の第１の傾斜部２２ｂ、２２ｂ、２２ｂと第２の傾斜部２２ｃ、２２ｃ、２２ｃにおいて摺動されるときには、移動環１７と光学系２７は前後方向へ移動される。
【００９０】
カムピン２５、２５、２５がそれぞれ広角側直線部２２ａ、２２ａ、２２ａに係合されている状態においては、移動環１７がカム環１６に対して最も前方へ移動され、移動環１７の後端部を除く部分がカム環１６から前方へ突出される（図６参照）。
【００９１】
また、カムピン２５、２５、２５がそれぞれ望遠側直線部２２ｄ、２２ｄ、２２ｄに係合されている状態においては、移動環１７がカム環１６に対して後方側へ移動されており、移動環１７の全体がカム環１６の内部に位置される（図７参照）。
【００９２】
尚、上記には、カム溝２０、２０、２０に、周方向に延び光学系２７を所定の位置の保持する部分として広角側直線部２２ａ、２２ａ、２２ａと望遠側直線部２２ｄ、２２ｄ、２２ｄを形成した例を示した。これに加え、カム溝２０、２０、２０に、周方向に延び光学系２７を所定の位置の保持する部分として第１の傾斜部２２ｂ、２２ｂ、２２ｂと第２の傾斜部２２ｃ、２２ｃ、２２ｃの途中に、周方向に延び光学系２７を所定の位置の保持する部分を形成してもよい。
【００９３】
［まとめ］
カムピン２５が広角側直線部２２ａ又は望遠側直線部２２ｄに係合されている状態においては、広角側直線部２２ａと望遠側直線部２２ｄの後側開口縁にそれぞれ突起部２３、２３が設けられているため、カムピン２５のカム環１６に対する係合量が大きくされている（図８参照）。
【００９４】
従って、落下等による衝撃等が生じたときにおいても、カムピン２５のカム溝２０からの脱落を防止することができる。
【００９５】
また、突起部２３はカム環１６を直進ガイド１５に光軸方向へ移動不能かつ光軸の軸回り方向へ回転自在に支持するために必要とされる部分であり、予めカム環１６に設けられている部分である。従って、カム環１６のカム溝２０における開口縁に突起部２３を設けることによりカム環１６が大型になることはなく、また、カム環１６の厚みを厚くしてカム溝２０の深さを深くすることによりカム溝２０に対するカムピン２５の係合量を大きくする必要もなく、小型化を確保した上で部品の強度の向上を図りカム溝２０からのカムピン２５の脱落を防止することができる。
【００９６】
尚、突起部２３が第１の傾斜部２２ｂ又は第２の傾斜部２２ｃの開口縁に設けられた場合には、突起部２３がカム溝２０に沿って傾斜して設けられるため、その分、直進ガイド１５の規制溝１８ｂ、１８ｂ、・・・の溝幅が広くなり直進ガイド１５の強度の低下を来たすおそれがある。
【００９７】
しかしながら、鏡筒装置３にあっては、突起部２３がそれぞれ周方向に延びる広角側直線部２２ａと望遠側直線部２２ｄの開口縁に設けられているため、直進ガイド１５の規制溝１８ｂ、１８ｂ、・・・の溝幅を最小限にすることが可能であり、直進ガイド１５の高い強度を確保することができる。
【００９８】
但し、突起部２３を第１の傾斜部２２ｂ又は第２の傾斜部２２ｃの開口縁に設けることは可能である。
【００９９】
さらに、撮像装置１においては、広角端又は望遠端に光学系２７が保持された状態で撮影等が行われる場合が多いが、上記のように、突起部２３を広角側直線部２２ａと望遠側直線部２２ｄの開口縁に設けることにより、カムピン２５のカム溝２０からの脱落を高い確率で防止することができる。
【０１００】
尚、上記したように、カムピン２５が広角側直線部２２ａに係合されている状態においては、図６に示すように、移動環１７がカム環１６に対して最も前方へ移動され、移動環１７の後端部を除く部分がカム環１６から前方へ突出されているため、カムピン２５のカム溝２０からの脱落が生じ易い状態にある。
【０１０１】
しかしながら、鏡筒装置３にあっては、突起部２３がカム溝２０のうち光が入射する側（物体側）における端部、即ち、広角側直線部２２ａの開口縁に設けられているため、移動環１７がカム環１６から前方へ突出された状態において、カム溝２０に対するカムピン２５の係合量が大きく、カムピン２５のカム溝２０からの脱落を回避することができる。
【０１０２】
尚、上記には、カム溝２０の幅方向における像側の開口縁に突起部２３を設けた例を示したが、突起部２３が設けられる位置はカム溝２０の幅方向における像側の開口縁に限られることはなく、突起部２３はカム溝２０の幅方向における物体側の開口縁に設けられてもよい。
【０１０３】
また、突起部２３はカム溝２０の幅方向における物体側と像側の両側の開口縁に設けられていてもよい。突起部２３がカム溝２０の幅方向における物体側と像側の両側の開口縁に設けられた場合には、カムピン２５のカム溝２０からの脱落を一層確実に防止することができる。
【０１０４】
［その他］
以下に、突起部のカム溝に対する形成位置が異なる各鏡筒装置３Ａ乃至鏡筒装置３Ｆについて説明する（図９乃至図１４参照）。
【０１０５】
カム溝２０は底面２０ａと底面２０ａの幅方向における両側に連続する傾斜面２０ｂ、２０ｂによって形成されている（図９乃至図１４参照）。傾斜面２０ｂ、２０ｂは底面２０ａから遠去かるに従って互いに離隔する方向へ変位するように傾斜されている。
【０１０６】
カムピン２５はカム溝２０に挿入されて係合された状態において、底面２０ａに対向して位置される先端面２５ａと傾斜面２０ｂ、２０ｂにそれぞれ対向して位置される斜面２５ｂ、２５ｂとを有している。
【０１０７】
以下に示す鏡筒装置３Ａ、３Ｂ、３Ｃはカム環１６が直進ガイド１５の外周側に位置されている（図９乃至図１１参照）。
【０１０８】
鏡筒装置３Ａは、突起部２３Ａがカム溝２０の一方の傾斜面２０ｂに連続して設けられている（図９参照）。突起部２３Ａは直進ガイド１５の規制溝１８ｂに摺動自在に係合されている。
【０１０９】
突起部２３Ａは内方を向く平面２３ａと平面２３ａの前縁に連続する前面２３ｂと平面２３ａの後縁に連続する後面２３ｃとを有し、前面２３ｂが傾斜されカム溝２０の一方の傾斜面２０ｂに連続されている。前面２３ｂの傾斜角度は一方の傾斜面２０ｂの傾斜角度と同じにされている。
【０１１０】
鏡筒装置３Ａにあっては、上記したように、突起部２３Ａの前面２３ｂがカム溝２０の一方の傾斜面２０ｂに連続されているため、カムピン２５と突起部２３Ａの距離が小さく、カムピン２５のカム溝２０からの脱落を効果的に防止することができる。
【０１１１】
また、突起部２３Ａの前面２３ｂがカム溝２０の一方の傾斜面２０ｂと同じ傾斜角度で連続されているため、カム環１６の成形時に金型の離型を円滑に行うことが可能であり、カム環１６の成形性の向上を図ることができる。
【０１１２】
鏡筒装置３Ｂは、突起部２３Ｂがカム溝２０の一方の傾斜面２０ｂと僅かな間隔を有した状態で設けられている（図１０参照）。突起部２３Ｂは直進ガイド１５の規制溝１８ｂに摺動自在に係合されている。
【０１１３】
カム溝２０の一方の傾斜面２０ｂと突起部２３Ｂの間には内方を向き前後方向の長さが短い連結面１６ａが形成され、連結面１６ａの前縁がカム溝２０の一方の傾斜面２０ｂに連続され、連結面１６ａの後縁が突起部２３Ｂに連続されている。
【０１１４】
突起部２３Ｂは内方を向く平面２３ｄと平面２３ｄの前縁に連続する前面２３ｅと平面２３ｄの後縁に連続する後面２３ｆとを有し、前面２３ｅが前方を向くように形成されている。
【０１１５】
鏡筒装置３Ｂにあっては、上記したように、カム溝２０の一方の傾斜面２０ｂと突起部２３Ｂの間に連結面１６ａが形成されているため、カムピン２５の形状等に応じてカム溝２０に対する突起部２３Ｂの位置を選択することが可能であり、突起部２３Ｂの位置に関して設計の自由度の向上を図ることができる。
【０１１６】
また、突起部２３Ｂの前面２３ｅが前方を向くように形成されているため、前面が一方の傾斜面２０ｂと同じ向きに傾斜されている場合に比し、カムピン２５と突起部２３Ｂの距離が小さく、カムピン２５のカム溝２０からの脱落を効果的に防止することができる。
【０１１７】
鏡筒装置３Ｃは、突起部２３Ｃがカム溝２０の一方の傾斜面２０ｂに連続して設けられている（図１１参照）。突起部２３Ｃは直進ガイド１５の規制溝１８ｂに摺動自在に係合されている。
【０１１８】
突起部２３Ｃは内方を向く平面２３ｇと平面２３ｇの前縁に連続する前面２３ｈと平面２３ｇの後縁に連続する後面２３ｉとを有し、前面２３ｈが前方を向くように形成されている。
【０１１９】
鏡筒装置３Ｃにあっては、上記したように、突起部２３Ｃの前面２３ｈがカム溝２０の一方の傾斜面２０ｂに連続されているため、カムピン２５と突起部２３Ｃの距離が小さく、カムピン２５のカム溝２０からの脱落を効果的に防止することができる。
【０１２０】
また、突起部２３Ｃの前面２３ｈが前方を向くように形成されているため、前面が一方の傾斜面２０ｂと同じ向きに傾斜されている場合に比し、カムピン２５と突起部２３Ｃの距離が小さく、カムピン２５のカム溝２０からの脱落を一層効果的に防止することができる。
【０１２１】
上記には、カム環１６が直進ガイド１５の外周側に位置される例として、鏡筒装置３Ａ、３Ｂ、３Ｃを示したが、逆に、以下に示すように、カム環１６が直進ガイド１５の内周側に位置されるように構成することも可能である。
【０１２２】
カム環１６が直進ガイド１５の内周側に位置された例として、以下に、鏡筒装置３Ｄ、３Ｅ、３Ｆを示す（図１２乃至図１４参照）。
【０１２３】
鏡筒装置３Ｄは、突起部２３Ｄがカム溝２０の一方の傾斜面２０ｂに連続して設けられている（図１２参照）。突起部２３Ｄは直進ガイド１５の規制溝１８ｂに摺動自在に係合されている。
【０１２４】
突起部２３Ｄは外方を向く平面２３ｊと平面２３ｊの前縁に連続する前面２３ｋと平面２３ｊの後縁に連続する後面２３ｌとを有し、前面２３ｋが傾斜されカム溝２０の一方の傾斜面２０ｂに連続されている。前面２３ｂの傾斜角度は一方の傾斜面２０ｂの傾斜角度と同じにされている。
【０１２５】
鏡筒装置３Ｄにあっては、上記したように、突起部２３Ｄの前面２３ｋがカム溝２０の一方の傾斜面２０ｂに連続されているため、カムピン２５と突起部２３Ｄの距離が小さく、カムピン２５のカム溝２０からの脱落を効果的に防止することができる。
【０１２６】
また、突起部２３Ｄの前面２３ｋがカム溝２０の一方の傾斜面２０ｂと同じ傾斜角度で連続されているため、カム環１６の成形時に金型の離型を円滑に行うことが可能であり、カム環１６の成形性の向上を図ることができる。
【０１２７】
鏡筒装置３Ｅは、突起部２３Ｅがカム溝２０の一方の傾斜面２０ｂと僅かな間隔を有した状態で設けられている（図１３参照）。突起部２３Ｅは直進ガイド１５の規制溝１８ｂに摺動自在に係合されている。
【０１２８】
カム溝２０の一方の傾斜面２０ｂと突起部２３Ｅの間には外方を向き前後方向の長さが短い連結面１６ｂが形成され、連結面１６ｂの前縁がカム溝２０の一方の傾斜面２０ｂに連続され、連結面１６ｂの後縁が突起部２３Ｅに連続されている。
【０１２９】
突起部２３Ｅは外方を向く平面２３ｍと平面２３ｍの前縁に連続する前面２３ｎと平面２３ｍの後縁に連続する後面２３ｏとを有し、前面２３ｎが前方を向くように形成されている。
【０１３０】
鏡筒装置３Ｅにあっては、上記したように、カム溝２０の一方の傾斜面２０ｂと突起部２３Ｅの間に連結面１６ｂが形成されているため、カムピン２５の形状等に応じてカム溝２０に対する突起部２３Ｅの位置を選択することが可能であり、突起部２３Ｅの位置に関して設計の自由度の向上を図ることができる。
【０１３１】
また、突起部２３Ｅの前面２３ｎが前方を向くように形成されているため、前面が一方の傾斜面２０ｂと同じ向きに傾斜されている場合に比し、カムピン２５と突起部２３Ｅの距離が小さく、カムピン２５のカム溝２０からの脱落を効果的に防止することができる。
【０１３２】
鏡筒装置３Ｆは、突起部２３Ｆがカム溝２０の一方の傾斜面２０ｂに連続して設けられている（図１４参照）。突起部２３Ｆは直進ガイド１５の規制溝１８ｂに摺動自在に係合されている。
【０１３３】
突起部２３Ｆは外方を向く平面２３ｐと平面２３ｐの前縁に連続する前面２３ｑと平面２３ｐの後縁に連続する後面２３ｒとを有し、前面２３ｑが前方を向くように形成されている。
【０１３４】
鏡筒装置３Ｆにあっては、上記したように、突起部２３Ｆの前面２３ｑがカム溝２０の一方の傾斜面２０ｂに連続されているため、カムピン２５と突起部２３Ｆの距離が小さく、カムピン２５のカム溝２０からの脱落を効果的に防止することができる。
【０１３５】
また、突起部２３Ｆの前面２３ｑが前方を向くように形成されているため、前面が一方の傾斜面２０ｂと同じ向きに傾斜されている場合に比し、カムピン２５と突起部２３Ｆの距離が小さく、カムピン２５のカム溝２０からの脱落を一層効果的に防止することができる。
【０１３６】
［撮像装置の一実施形態］
図１５に、本発明撮像装置の一実施形態によるスチルカメラ（デジタルスチルカメラ）のブロック図を示す。
【０１３７】
撮像装置（デジタルスチルカメラ）１００は、撮像機能を担うカメラブロック３０と、撮影された画像信号のアナログ−デジタル変換等の信号処理を行うカメラ信号処理部３１と、画像信号の記録再生処理を行う画像処理部３２とを有している。また、撮像装置１００は、撮影された画像等を表示するＬＣＤ（Liquid Crystal Display）３３と、メモリーカード１０００への画像信号の書込及び読出を行うＲ／Ｗ（リーダ／ライタ）３４と、撮像装置の全体を制御するＣＰＵ（Central Processing Unit）３５と、ユーザーによって所要の操作が行われる各種のスイッチ等から成る入力部３６と、カメラブロック３０に配置されたレンズの駆動を制御するレンズ駆動制御部３７とを備えている。
【０１３８】
カメラブロック３０は、レンズ群３８（本発明が適用される鏡筒装置３、３Ａ、３Ｂ、３Ｃ、３Ｄ、３Ｅ、３Ｆの内部に配置されるレンズ群）を含む光学系や、ＣＣＤ（Charge Coupled Device）やＣＭＯＳ（Complementary Metal-Oxide Semiconductor）等の撮像素子３９等とによって構成されている。
【０１３９】
カメラ信号処理部３１は、撮像素子３９からの出力信号に対するデジタル信号への変換、ノイズ除去、画質補正、輝度・色差信号への変換等の各種の信号処理を行う。
【０１４０】
画像処理部３２は、所定の画像データーフォーマットに基づく画像信号の圧縮符号化・伸張復号化処理や解像度等のデーター仕様の変換処理等を行う。
【０１４１】
ＬＣＤ３３はユーザーの入力部３６に対する操作状態や撮影した画像等の各種のデーターを表示する機能を有している。
【０１４２】
Ｒ／Ｗ３４は、画像処理部３２によって符号化された画像データーのメモリーカード１０００への書込及びメモリーカード１０００に記録された画像データーの読出を行う。
【０１４３】
ＣＰＵ３５は、撮像装置１００に設けられた各回路ブロックを制御する制御処理部として機能し、入力部３６からの指示入力信号等に基づいて各回路ブロックを制御する。
【０１４４】
入力部３６は、例えば、シャッター操作を行うためのシャッターレリーズボタンや、動作モードを選択するための選択スイッチ等によって構成され、ユーザーによる操作に応じた指示入力信号をＣＰＵ３５に対して出力する。
【０１４５】
レンズ駆動制御部３７は、ＣＰＵ３５からの制御信号に基づいてレンズ群３８の各レンズを駆動する図示しないモータ等を制御する。
【０１４６】
メモリーカード１０００は、例えば、Ｒ／Ｗ３４に接続されたスロットに対して着脱可能な半導体メモリーである。
【０１４７】
以下に、撮像装置１００における動作を説明する。
【０１４８】
撮影の待機状態では、ＣＰＵ３５による制御の下で、カメラブロック３０において撮影された画像信号が、カメラ信号処理部３１を介してＬＣＤ３３に出力され、カメラスルー画像として表示される。また、入力部３６からのズーミングのための指示入力信号が入力されると、ＣＰＵ３５がレンズ駆動制御部３７に制御信号を出力し、レンズ駆動制御部３７の制御に基づいてレンズ群３８の所定のレンズが移動される。
【０１４９】
入力部３６からの指示入力信号によりカメラブロック３０の図示しないシャッターが動作されると、撮影された画像信号がカメラ信号処理部３１から画像処理部３２に出力されて圧縮符号化処理され、所定のデーターフォーマットのデジタルデーターに変換される。変換されたデーターはＲ／Ｗ３４に出力され、メモリーカード１０００に書き込まれる。
【０１５０】
尚、フォーカシングは、例えば、入力部３６のシャッターレリーズボタンが半押しされた場合や記録（撮影）のために全押しされた場合等に、ＣＰＵ３５からの制御信号に基づいてレンズ駆動制御部３７がレンズ群３８の所定のレンズを移動させることにより行われる。
【０１５１】
メモリーカード１０００に記録された画像データーを再生する場合には、入力部３６に対する操作に応じて、Ｒ／Ｗ３４によってメモリーカード１０００から所定の画像データーが読み出され、画像処理部３２によって伸張復号化処理が行われた後、再生画像信号がＬＣＤ３３に出力されて再生画像が表示される。
【０１５２】
上記した最良の形態において示した各部の具体的な形状及び構造は、何れも本発明を実施する際の具体化のほんの一例を示したものにすぎず、これらによって本発明の技術的範囲が限定的に解釈されることがあってはならないものである。
【図面の簡単な説明】
【０１５３】
【図１】図２乃至図１５と共に本発明の最良の形態を示すものであり、本図は、鏡筒装置が装置本体に収納されている状態で示す撮像装置の斜視図である。
【図２】鏡筒装置が装置本体から突出されている状態で示す撮像装置の斜視図である。
【図３】撮像装置を図１及び図２とは反対側から見た状態で示す斜視図である。
【図４】鏡筒装置の内部構成の一部を示す拡大分解斜視図である。
【図５】カム環の一部を示す拡大斜視図である。
【図６】移動環がカム環から前方へ突出され光学系が広角端に保持されている状態を示す拡大斜視図である。
【図７】移動環がカム環の内部にあり光学系が望遠端に保持されている状態を示す拡大斜視図である。
【図８】カムピンがカム溝に係合されている状態を示す拡大斜視図である。
【図９】図１０乃至図１４と共に突起部のカム溝に対する形成位置が異なる各鏡筒装置の例を示すものであり、本図は、カム環が直進ガイドの外周側に位置された状態の一例を示す拡大断面図である。
【図１０】カム環が直進ガイドの外周側に位置された状態の別の例を示す拡大断面図である。
【図１１】カム環が直進ガイドの外周側に位置された状態のまた別の例を示す拡大断面図である。
【図１２】カム環が直進ガイドの内周側に位置された状態の例を示す拡大断面図である。
【図１３】カム環が直進ガイドの内周側に位置された状態の別の例を示す拡大断面図である。
【図１４】カム環が直進ガイドの内周側に位置された状態のまた別の例を示す拡大断面図である。
【図１５】撮像装置のブロック図である。
【符号の説明】
【０１５４】
１…撮像装置、３…鏡筒装置、１５…直進ガイド、１６…カム環、１７…移動環、１８ａ…ガイド孔（ガイド部）、１８ｂ…規制溝（規制部）、２０…カム溝、２２ａ…広角側直線部、２２ｂ…第１の傾斜部、２２ｃ…第２の傾斜部、２２ｄ…望遠側直線部、２３…突起部、２５…カムピン、２７…光学系、３Ａ…鏡筒装置、３Ｂ…鏡筒装置、３Ｃ…鏡筒装置、３Ｄ…鏡筒装置、３Ｅ…鏡筒装置、３Ｆ…鏡筒装置、２３Ａ…突起部、２３Ｂ…突起部、２３Ｃ…突起部、２３Ｄ…突起部、２３Ｅ…突起部、２３Ｆ…突起部、２０ａ…底面、２０ｂ…傾斜面、１６ａ…連結面、１６ｂ…連結面、１００…撮像装置、３９…撮像素子
【図１】
2012118337.tif 000003
【図２】
2012118337.tif 000004
【図３】
2012118337.tif 000005
【図４】
2012118337.tif 000006
【図５】
2012118337.tif 000007
【図６】
2012118337.tif 000008
【図７】
2012118337.tif 000009
【図８】
2012118337.tif 000010
【図９】
2012118337.tif 000011
【図１０】
2012118337.tif 000012
【図１１】
2012118337.tif 000013
【図１２】
2012118337.tif 000014
【図１３】
2012118337.tif 000015
【図１４】
2012118337.tif 000016
【図１５】
2012118337.tif 000017